(57)【要約】      （修正有）【課題】左右いずれの側面を壁面やタンス等に当てがっても使用可能で、持ち運びも容易になし得る室内用ペットハウスを提供する。【解決手段】トイレ設備を内蔵した箱状のトイレ室３と、前記トイレ室３に対応する形状であってその上に分離可能に載置される休息室２と、休息室２の出入口８、８ａに通じる昇降ステップ２０とから成るペットハウスであって、トイレ室３の出入口１０、１０ａは左右両側面に形成され、休息室２の出入口８、８ａは前面の左右に形成され、昇降ステップ２０は休息室２の２つの出入口８、８ａのいずれか所望の出入口に向けて変位可能である。【選択図】図３
0003110059.tif 000002
【実用新案登録請求の範囲】
【請求項１】
トイレ設備を内蔵した箱状のトイレ室と、前記トイレ室に対応する形状であってその上に分離可能に載置される休息室と、前記休息室の出入口に通じる昇降ステップとから成るペットハウスであって、前記トイレ室の出入口は左右両側面に形成され、前記休息室の出入口は前面の左右に形成され、前記昇降ステップは前記休息室の２つの出入口のいずれか所望の出入口に向けて変位可能であることを特徴とするペットハウス。
【請求項２】
トイレ設備を内蔵した箱状のトイレ室と、前記トイレ室に対応する形状であってその上に分離可能に載置される休息室と、前記休息室の出入口に通じる昇降ステップとから成るペットハウスであって、前記トイレ室の出入口は左右両側面に形成され、前記トイレ室内に配置されるトイレ棚とペットを前記トイレ棚に導く内部ステップの装填位置を交換可能にし、前記休息室の出入口は前面の左右に形成され、前記昇降ステップは前記休息室の２つの出入口のいずれか所望の出入口に向けて変位可能であることを特徴とするペットハウス。
【請求項３】
トイレ設備を内蔵した箱状のトイレ室と、前記トイレ室に対応する形状であってその上に分離可能に載置される休息室と、前記休息室の出入口に通じる昇降ステップと、前記トイレ室の底面よりも大きく、殊に長さ方向に飛び出る吊下げヒモ付き受台とから成るペットハウスであって、前記トイレ室の出入口は左右両側面に形成され、前記休息室の出入口は前面の左右に形成され、前記昇降ステップは前記休息室の２つの出入口のいずれか所望の出入口に向けて変位可能であることを特徴とするペットハウス。
【請求項４】
トイレ設備を内蔵した箱状のトイレ室と、前記トイレ室に対応する形状であってその上に分離可能に載置される休息室と、前記休息室の出入口に通じる昇降ステップと、前記トイレ室の底面よりも大きく、殊に長さ方向に飛び出る吊下げヒモ付き受台とから成るペットハウスであって、前記トイレ室の出入口は左右両側面に形成され、前記トイレ室内に配置されるトイレ棚とペットを前記トイレ棚に導く内部ステップの装填位置を交換可能にし、前記休息室の出入口は前面の左右に形成され、前記昇降ステップは前記休息室の２つの出入口のいずれか所望の出入口に向けて変位可能であることを特徴とするペットハウス。
【請求項５】
前記昇降ステップは、前記トイレ室に回動可能に取り付けられることにより変位可能である請求項１乃至４のいずれかに記載のペットハウス。
【考案の詳細な説明】
【技術分野】
【０００１】
本考案はペットハウス、より詳細には、主に室内においてイヌやネコ等のペットを飼育するに当たって用いるペットハウスに関するものである。
【背景技術】
【０００２】
最近はペットブームといわれ、イヌやネコ等のペットを飼育する家庭が増えてきている。そして、小型犬の場合は室内で飼育されることが少なくない。そのような場合従来、室内用の犬小屋というものはなく、サークルが用いられる程度であった。また、室内で飼育する場合に厄介なのはトイレであるが、従来は、ペット用のトイレとして、プラスチック等の浅い容器に吸湿性に富んでいてトイレに流せる所謂トイレ砂を入れたものや、紙オムツ同様のトイレシートを敷いたもの等が多く用いられている。
【０００３】
このように従来は、イヌやネコ等を室内で飼育するのに好適なペットハウスはなく、また、従来のペット用のトイレは単なる浅い容体であるので、来客時等において体裁が悪いだけでなく、ペットも落ち着いて用を足すことができないという問題があった。
【０００４】
そこで本考案者は、外部からは見えないようにトイレ機能を内蔵していて、ペットが人に見られることなく用を足すことができ、飼育用品を十分に収納でき、室内において家具と並べて置いても違和感がなく、衛生的でペットの躾けにも好適な室内用ペットハウスを提唱した（実用新案登録第２５１９０７６号公報）。
【０００５】
そのペットハウスは、トイレ設備を内蔵した箱状のトイレ室と、前記トイレ室上に分離可能に載置されるペットの休息所となる箱状の休息室とから成り、前記休息室の周面には、適宜通気孔を形成すると共にその前面に出入口を形成し、前記トイレ室内には、トレイ砂を入れた底に通水孔を有する上段トイレ棚とトイレシート敷いた下段トイレ棚とを重ねたトイレ棚と内部ステップを並置し、前記内部ステップは前記トイレ室の側面に形成された出入口から前記上段トイレ室に向かって昇り傾斜させ、前記上下のトイレ棚と前記内部ステップをそれぞれ前記トイレ室の前面側に引出し可能にし、また、前記トイレ室の前面に、その下端から上端の前記休息室の出入口対応部に至る昇降ステップを設置して成る。
【特許文献１】実用新案登録第２５１９０７６号公報
【考案の開示】
【考案が解決しようとする課題】
【０００６】
しかるに、このペットハウスの場合、排尿時におけるペットの出入口が一方の側面に形成されており、また、昇降ステップの昇り口も、上記排尿時出入口と同じ側に配置されている。従って、例えば、上記排尿時出入口とステップ昇り口とを右側面に配置した場合、当該ペットハウスは、その右側面を壁面に接するように設置して使用することができないという制約を受ける。
【０００７】
更に、従来のペットハウスにおいては、掃除や日干し等のために移動させる際の便宜が図られていない。
【０００８】
そこで本考案は、左右いずれの側面を壁面やタンス等に当てがっても使用可能で、持ち運びも容易になし得る室内用ペットハウスを提供することを課題とする。
【課題を解決するための手段】
【０００９】
上記課題を解決するための請求項１に係る考案は、トイレ設備を内蔵した箱状のトイレ室と、前記トイレ室に対応する形状であってその上に分離可能に載置される休息室と、前記休息室の出入口に通じる昇降ステップとから成るペットハウスであって、前記トイレ室の出入口は左右両側面に形成され、前記休息室の出入口は前面の左右に形成され、前記昇降ステップは前記休息室の２つの出入口のいずれか所望の出入口に向けて変位可能であることを特徴とする室内用ペットハウスである。
【００１０】
上記課題を解決するための請求項２に係る考案は、トイレ設備を内蔵した箱状のトイレ室と、前記トイレ室に対応する形状であってその上に分離可能に載置される休息室と、前記休息室の出入口に通じる昇降ステップとから成るペットハウスであって、前記トイレ室の出入口は左右両側面に形成され、前記トイレ室内に配置されるトイレ棚とペットを前記トイレ棚に導く内部ステップの装填位置を交換可能にし、前記休息室の出入口は前面の左右に形成され、前記昇降ステップは前記休息室の２つの出入口のいずれか所望の出入口に向けて変位可能であることを特徴とするペットハウスである。
【００１１】
上記課題を解決するための請求項３に係る考案は、トイレ設備を内蔵した箱状のトイレ室と、前記トイレ室に対応する形状であってその上に分離可能に載置される休息室と、前記休息室の出入口に通じる昇降ステップと、前記トイレ室の底面よりも大きく、殊に長さ方向に飛び出る吊下げヒモ付き受台とから成るペットハウスであって、前記トイレ室の出入口は左右両側面に形成され、前記休息室の出入口は前面の左右に形成され、前記昇降ステップは前記休息室の２つの出入口のいずれか所望の出入口に向けて変位可能であることを特徴とするペットハウスである。
【００１２】
上記課題を解決するための請求項４に係る考案は、トイレ設備を内蔵した箱状のトイレ室と、前記トイレ室に対応する形状であってその上に分離可能に載置される休息室と、前記休息室の出入口に通じる昇降ステップと、前記トイレ室の底面よりも大きく、殊に長さ方向に飛び出る吊下げヒモ付き受台とから成るペットハウスであって、前記トイレ室の出入口は左右両側面に形成され、前記トイレ室内に配置されるトイレ棚とペットを前記トイレ棚に導く内部ステップの装填位置を交換可能にし、前記休息室の出入口は前面の左右に形成され、前記昇降ステップは前記休息室の２つの出入口のいずれか所望の出入口に向けて変位可能であることを特徴とするペットハウスである。
【００１３】
以上いずれの考案においても、前記昇降ステップは、前記トイレ室に回動可能に取り付けられることにより変位可能とすることができる。
【考案の効果】
【００１４】
本考案に係るペットハウスは、左右いずれの側面を壁やタンス等に着けても使用可能で、設置場所の制約がなく、また、その全体の移動が容易であるという効果があり、他に、充分な備品収納部を有すると共に、トイレ設備が外部から見えないようにハウス内に合理的に配備されており、トイレの砂が外に出たりして室内を汚したりすることもなく、その形状からして家具類と並べてもさ程違和感がないので、戸建て住宅は固よりマンション等において利用するのにも好適なペットハウスが得られる等の効果がある。
【考案を実施するための最良の形態】
【００１５】
本考案の好ましい実施例を図面に依拠して説明する。図示された本考案に係るペットハウスは、蓋箱１、休息室２及びトイレ室３の分離可能な３つの箱状体から成っていて、それらを積み重ねることによって全体的に１つの箱形状を呈する。
蓋箱１は上面が平坦であって、その上に花ビンや時計等を置けるようになっている。蓋箱１には引出し４、５が設けられ、そこにペットフ−ド、トイレシ−ト、トイレ砂等の飼育用品等を収納できるようになっている。蓋箱１の前面及び側面には、必要に応じ多数の通気孔６が透設される（場合によっては後面にも設ける。）。
【００１６】
休息室２はペットが寝たり、食事をしたりする場所で、その上面に、印籠形式その他の手段により蓋箱１が積層される。休息室２の前面及び側面には、適宜通気孔７が形成される（場合によっては後面にも設ける。）。休息室２の前面には、その左右にペットが出入りする出入口８、８ａが形成される。普通出入口８、８ａには、それぞれスライド式等の開閉ドア９、９ａが設置される。来客時等にこの開閉ドア９、９ａを閉めることにより、ペットが出られないようにしておくことができる。なお、開閉ドア９、９ａにも通気孔が形成される。休息室２の底には適宜人口芝等が敷かれ、ペットが寝る場所に布団等が置かれる。
【００１７】
トイレ室３はトイレ設備を内蔵した室であって、その両側面に出入口１０、１０ａが形成される。出入口１０、１０ａには、装飾性も兼ねて、スダレを設置することもある。トイレ室３の一半部には、前面側に引出し可能な内部ステップ１１が配備される。内部ステップ１１には、出入口１０（１０ａ）側から内に向かって昇り勾配が付けられており、その斜面に人口芝等が敷かれる。また、その斜面に、滑り止めのための桟１１ａが、適宜間隔置きに設置される。
【００１８】
トイレ室３の他半部には、仕切り１３を挟んで、上下二段の棚で構成されるトイレ棚１４、１５が設置される。仕切り１３は、上段のトイレ棚１４及びステップ１１の上端部より少し上に突出させる。トイレ棚１４、１５は積層状態にてトイレ室３の前面側から引出し可能にされ、上段のトイレ棚１４にはトイレ砂１６が適量敷かれ、下段のトイレ棚１５にはトイレシ−ト１７が敷かれる。トイレ棚１４の底には無数の通水孔が穿設され、また、トイレ棚１５の底には防水性資材が配備される。必要に応じトイレ棚１４には、汚物箱１８を載置する汚物箱受台１９が設置される。
【００１９】
トイレ室３の下部左右には、内部ステップ１１又はトイレ棚１４、１５を出し入れするための開口１２、１２ａが形成される。開口１２と開口１２ａは同一サイズとされ、また、内部ステップ１１の側面と、積層状態のトイレ棚１４、１５の側面のサイズもこれに同一とされる。かくして内部ステップ１１とトイレ棚１４、１５は、いずれの開口１２、１２ａにも装入可能となる。
【００２０】
２０はトイレ室３の前面に変位可能に取り付けられた昇降ステップで、ペットはそこを通って休息室２に出入りする。出入口８、８ａに接することになる昇降ステップ２０の上端部は、水平状態になるようにされる。昇降ステップ２０は、ペットが昇降の際に不安感を抱くことを防止するための柵を備えており、また、その踏面に桟１１ａ同様の滑り止め用桟が設置される。
【００２１】
昇降ステップ２０を変位可能にするためには、例えば、これをトイレ室３に、軸２１を介して回動可能に取り付ければよい（図１参照）。図１から明らかなように、その回動により、昇降ステップ２０の左右いずれかの側が水平状態となって、いずれかの出入口８、８ａの前に位置する。なお、その状態を保持するために、昇降ステップ２０の両端部底面にストッパー２２、２２ａが設置され、これを係止するための係止孔２３、２３ａが、トイレ室３の壁面の上部に穿設される。
【００２２】
昇降ステップ２０の端部に設置される柵２４は、例えば差込み式として、いずれの端部にも装脱可能にされる。
【００２３】
２５は受台で、通例周壁２６を有し、トイレ室３の底面積より大きめのサイズとされる。受台２５はトイレ室３に対し、特に長さ方向に長くされる。そのようにすることで、トイレ室３から突き出た部分において、ペットの出入口１０、１０ａの出入りに伴ってこぼれ落ちるトイレ砂等を回収することが可能となる。受台２５は吊下げヒモ２７を有していて、それを引上げることにより、ペットハウス全体を持ち上げて移動することが容易となる。
【００２４】
本考案に係るペットハウスは、室内の適宜個所（例えば、壁面やタンス等に着ける。）に置いて用いるが、本考案のペットハウスの場合は、左右いずれの側面を壁等に着けても使用可能である。即ち、左側面を壁に着ける場合は、昇降ステップ２０を右下がりに回動させ、柵２４を左端部に取り付ける（図１の状態）。そして、出入口８ａは開閉ドア９ａで閉じたままとし、出入口８と出入口１０ａとを使用させる。右側面を壁に付けるときは、上記と逆にし、内部ステップ１１とトイレ棚１４、１５とを入れ替えればよい。
【００２５】
かくして、ペットは、昇降ステップ２０を通って出入口８（８ａ）から休息室２へ出入りし、休息室２内において食事をしたり休息したりする。ペットがトイレに行くときは、昇降ステップ２０を降りて出入口１０（１０ａ）からトイレ室３内に入り、内部ステップ１１を昇り、仕切り１３を越えて上段トイレ棚１４に入って用を足す。
【００２６】
なお、昇降ステップ２０を変位させる手段としては、他に、昇降ステップ２０の側部に複数のダボ（又はダボ穴）を設け、休息室２又はトイレ室３の対向面に、それに対応するダボ穴（又はダボ）を設け、各ダボを対応するダボ穴に嵌め込むことで、昇降ステップ２０の上下向きを変えての装脱を可能にする方法も考えられる。
【００２７】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００２８】
【図１】本考案の一実施形態の正面図である。
【図２】本考案の一実施形態の側面図である。
【図３】本考案の一実施形態の分解斜視図である。
【図４】本考案の一実施形態のトイレ室の分解斜視図である。
【符号の説明】
【００２９】
１    蓋箱
２    休息室
３    トイレ室
４    引出し
５    引出し
６    通気孔
７    通気孔
８    出入口
８ａ  出入口
９    開閉ドア
９ａ  開閉ドア
１０    出入口
１０ａ  出入口
１１    内部ステップ
１２    開口
１２ａ  開口
１３    仕切り
１４    トイレ棚
１５    トイレ棚
１６    トイレ砂
１７    トイレシート
１８    汚物箱
１９    汚物箱受台
２０    昇降ステップ
２２    ストッパー
２２ａ  ストッパー
２３    係止孔
２３ａ  係止孔
２４    柵
２５    受台
２６    周壁
２７    吊下げヒモ
【図１】
0003110059.tif 000003
【図２】
0003110059.tif 000004
【図３】
0003110059.tif 000005
【図４】
0003110059.tif 000006